(57)【要約】      （修正有）【課題】ヘアロッド内に挿抜可能な発熱体であって、パーマ施術の際に、重量感を軽減させ、しかも、接続具の腐食・接触不良などの故障を解消、また漏電又は感電等の危険性が抑制される発熱体及びヘアロッドを提供する。【解決手段】ヘアロッド内に挿抜可能な発熱体１であって、筒形状に形成された本体部１０と、本体部の内部に設置されたヒータ１６と、本体部に形成された開口部を閉じる栓部１２と、栓部を介して外部から本体部内に入り、ヒータに電力を供給するための電気コード１４とを備える。加温施術のときのみ重さを感じるだけなので、ヘアロッドを頭部に取り付けることに伴う重量感が軽減する。【選択図】図２
0003194018.tif 000002
【実用新案登録請求の範囲】
【請求項１】
ヘアロッド内に挿抜可能な発熱体であって、
筒形状に形成された本体部(１０)と、
前記本体部の内部に設置された熱源部(１６)と、
前記本体部に形成された開口部を閉じる栓部(１２）と、
前記栓部を介して外部から前記本体部内に入り、前記熱源部に電力を供給するための電気コード(１４)と
を備えることを特徴とする発熱体。
【請求項２】
請求項１に記載の発熱体であって、
前記本体部は、
前記熱源部で暖められたときに、遠赤外線を発する材料であって、比重が４．９ｇ／ｃｍ３以下の材料で少なくとも一部が形成されていることを特徴とする発熱体。
【請求項３】
請求項１，２のいずれか一項に記載の発熱体において、
前記本体部は、
アルミニウム、チタン又はプラスチックで構成されていることを特徴とする発熱体。
【請求項４】
請求項１〜３のいずれか１項に記載の前記発熱体を挿抜可能に形成され、前記発熱体を備えることを特徴とするヘアロッド。
【考案の詳細な説明】
【技術分野】
【０００１】
本考案はパーマをかけるときなどに用いられるヘアロッドに対し、その内部に挿抜可能な発熱体、及び、ヘアロッドに関する。
【背景技術】
【０００２】
ホット系パーマは、次のような工程で行われるのが一般的である。
（１）ワインディング：水分を含ませた毛髪をヘアロッドに巻く。（２）薬剤を塗布する（第１液）。（３）毛髪を軟化させるため所定時間放置する。（４）毛髪を水洗する。（５）ヘアロッドを加温する。（６）薬剤を塗布する（第２液）。（７）放置タイム：所定時間放置する。（８）ロッドオフ：ヘアロッドを毛髪から外す。（９）毛髪を水洗する。（１０）毛髪を乾燥する。
【０００３】
このホット系パーマにおいて用いられるヘアロッドは、熱源部を内部に備えるものである。このヘアロッドは、筒状に形成されており、一方の開口部に電気コードを接続するための接続具を備えている。そして、このヘアロッドでは、この接続具に電気コードを接続することで、熱源部を発熱させ、上述した（５）の工程において、加温を行っている。
【考案の概要】
【考案が解決しようとする課題】
【０００４】
しかし、従来のヘアロッドは、熱源部を内部に備えているため重量感があり、パーマをする場合、この重いヘアロッドを頭部に複数付けなくてはいけないので、パーマをかけているお客様には負担になっていた。
【０００５】
上記工程では、（１）〜（８）の工程の間、お客様は、頭が重たい思いをせねばならなかった。
また、従来のホット系パーマで用いられているヘアロッドは、電気コードを接続する接続具がむき出しになっていて、しかも、上記工程（２）と（６）で液体状の薬剤を、（４）で水を用いているので、接続具の腐食・接触不良などの故障、また接続ミスなどがあった場合、漏電又は感電等する可能性があった。
【０００６】
そこで本考案は、ヘアロッド内に挿抜可能な発熱体であって、パーマ施術の際に、お客様の重量感を軽減させ、しかも、接続具の腐食・接触不良などの故障を解消、また漏電又は感電等の危険性が抑制される発熱体及びヘアロッドを提供することを目的とする。
【課題を解決するための手段】
【０００７】
上記目的を達成するため、請求項１に記載の考案は、ヘアロッド内に挿抜可能な発熱体であって、筒形状に形成された本体部(１０)と、前記本体部の内部に設置された熱源部(１６)と、前記本体部に形成された開口部を閉じる栓部(１２）と、前記栓部を介して外部から前記本体部内に入り、前記熱源部に電力を供給するための電気コード(１４)とを備えることを特徴とする。
【０００８】
内部に熱源部を有しない市販の筒形状のヘアロッドに対し、本考案の発熱体の本体部を挿入すれば、熱源部がヘアロッドの内部に備えられることとなり、その熱源部に電気コードから電力を供給すれば、ヘアロッドが加温されることとなる。
【０００９】
そのため、この発熱体を用いると、市販の筒形状のヘアロッドを、パーマ用のヘアロッドとして用いることができる。
この結果、本考案の発熱体は、上記工程のうち、（５）の加温施術のときのみヘアロッドに取り付ければよいこととなるので、お客様に重量感を感じさせることが少なくなる。
【００１０】
また、本考案の発熱体は、電気コードが、接続具を介することなく、外部から熱源部に直接延びているので、接続具の腐食・接触不良などの故障を解消、また漏電又は感電等の危険性が抑制される。
【００１１】
尚、本体部は、例えば、軸方向の両端が開口する構成のものでもよいし、片方だけが開口する構成のものでもよい。栓部は、本体部の両端が開口する場合は、両方に付けて閉じてもよい。
【００１２】
次に、請求項２に記載の発熱体のように、本体部は、遠赤外線を発する材料であって、比重が４．９ｇ／ｃｍ３以下の材料で少なくとも一部が形成されているとよい。遠赤外線は、本体部の全体から発するようにしてもよいし、一部からでもよい。
【００１３】
尚、本体部は、遠赤外線を発するため、請求項３に記載したように、アルミニウム、チタン又はプラスチックで主に構成されているとよい。
【図面の簡単な説明】
【００１４】
【図１】本実施形態の発熱体とヘアロッドの斜視図である。
【図２】（ａ）本実施形態の発熱体をヘアロッドに取り付けた様子を示す正面図である。（ｂ）（ａ）のＩＩｂ−ＩＩｂ断面図である（発熱体とヘアロッドの中心軸を通る断面で切断した断面図である）。
【図３】パーマの工程を示す説明図である。
【考案を実施するための形態】
【００１５】
以下に本考案の実施形態を図面と共に説明する。
本実施形態の発熱体１は、図１に示すような、円筒形状に形成されたヘアロッド３に対し挿抜して用いる。
【００１６】
この発熱体１は、円筒形状に形成された本体部１０と、その本体部１０の両端に取り付けられる一対の栓部１２と、この栓部１２のうち一方の栓部１２から延設された電気コード１４とを備えている。
【００１７】
また、この発熱体１は、図２に示すように、本体部１０の内部に熱源部１６を備えている。
本体部１０は、炭素繊維強化プラスチックで構成されている。
【００１８】
本体部１０を炭素繊維強化プラスチックで構成したのは、本体部１０がヒータ１６で暖められたときに遠赤外線を発するためである。ヒータ１６で暖められたときに遠赤外線を発する材料としては他にアルミニウムを用いてもよいが、アルミニウムや炭素繊維強化プラスチックに限られるものではない。また、用途によっては、ヒータ１６で暖められたときに遠赤外線を発する材料でなくてもよい。
【００１９】
栓部１２は、栓本体１２０と、この栓本体１２０から立設された脚部１２２とを有している。
脚部１２２は、栓部１２を本体部１０に取り付けるときに、本体部１０の軸方向の両端に形成された開口部に挿入すると、本体部１０の内壁と当接して栓部１２を本体部１０に固定する。このように栓部１２を本体部１０に取り付けると、本体部１０と両栓本体１２０の全体が、両端が本体部１０に対して外方に向かって縮径した形状に形成されているように見える外観となる。
【００２０】
電気コード１４は、二つの栓部１２のうち一方の栓部１２を貫通し、一方の側が縮径した栓部１２の先端から伸び、他方の側が、その先端側とは反対側であって、栓部１２を本体部１０に取り付けたときに、栓本体１２０が本体部１０の内部に面する部分から伸びている。
【００２１】
この電気コード１４のうち、縮径した栓部１２の先端から延設された側の先端には、図示しないプラグが接続され、その反対側の先端には、ヒータ１６が接続されている。
この熱源部１６は、熱源部であるヒータ１６を備えている。このヒータ１６は、シート状ヒータでも、筒状ヒータでも、棒状のヒータでも、弦巻線状のヒータでもよく、パーマに適したヒータであればどのようなものでもよい。
【００２２】
以上説明した発熱体１とヘアロッド３を用いてパーマをお客様にかける場合の工程について、図３を用いて説明する。尚、（１）〜（１０）は、従来のパーマの作業工程と同じ工程であることを示し、（Ａ）（Ｂ）は、本考案の発熱体１と、ヘアロッド３とを用いた場合の工程である。
【００２３】
（１）ワインディング、すなわち、水分を含ませた毛髪をヘアロッド３に巻く。このときヘアロッド３には、発熱体１が取り付けられていない。
（２）第１液を毛髪に塗布する。
【００２４】
（３）放置タイム：毛髪を軟化させるため所定時間放置する。
（４）水洗：毛髪を水洗する。
（Ａ）ヘアロッド取付：毛髪の水洗後、発熱体１をヘアロッド３に取り付ける。
【００２５】
（５）加温：ヘアロッド３の発熱体１を加温し、所定時間放置する。
（Ｂ）ヘアロッド取外：加温放置後、発熱体１をヘアロッド３から取り外す。
（６）第２液を毛髪に塗布する。
【００２６】
（７）放置タイム：所定時間放置する。
（８）ロッドオフ：ヘアロッド３を毛髪から外す。
（９）水洗：毛髪を水洗する。
【００２７】
（１０）乾燥：毛髪を乾燥する。
[本実施形態の特徴的な作用効果]
以上説明した発熱体１を用いると、以下のような特徴的な作用効果を示す。
【００２８】
本実施形態の発熱体１の本体部１０を挿入すれば、ヒータ１６がヘアロッド３の内部に備えられることとなり、そのヒータ１６に電気コード１４から電力を供給すれば、ヘアロッド３が加温されることとなる。
【００２９】
そのため、この発熱体１を用いると、市販の筒形状のヘアロッドを、パーマ用のヘアロッド３として用いることができる。
この結果、従来のヘアロッドを用いた場合、お客様は（１）〜（８）までの構成の間、ずっと頭に重さを感じていなければならないが、本実施形態の発熱体１を用いると、お客様は、（５）の加温施術のときのみ重さを感じるだけなので、ヘアロッドを頭部に取り付けることに伴う重量感をお客様に感じさせることが少なくなる。
【００３０】
また、本実施形態の発熱体１は、電気コード１４が、従来のようにヘアロッド自体が備える接続具を介することなく、栓部１２を介して外部からヒータ１６に直接延びているので、接続具の腐食・接触不良などの故障を解消、また漏電又は感電等の危険性が抑制される。
【００３１】
尚、本考案の発熱体１のように、本体部１０は、遠赤外線を発するものであるので、ヒータ１６を単に備える場合に比べ、パーマの効果を高めることができる。
［他の実施形態］
以上、実施形態について説明したが、実用新案登録請求の範囲に記載された考案は、上記実施形態に限定されることなく、種々の形態を採り得ることは言うまでもない。
【００３２】
（１）上記実施形態で説明した発熱体１はあくまでも一例であり、これに限定されるものではない。
（２）上記実施形態では、円筒形状のヘアロッドを用いる場合について説明したが、ヘアロッドは、楕円形状、多角形状等筒形状でもよい。
【００３３】
（３）上記実施形態では、本体部１０を炭素繊維強化プラスチックで形成した例について説明したが、この炭素繊維強化プラスチック以外のプラスチックを用いてもよい。
また、炭素繊維強化プラスチック以外の素材としては、本実施形態の発熱体１が頭に載せられて使用するものであるから、比重が４．９ｇ／ｃｍ３以下の軽量な素材がよい。
【００３４】
アルミニウムの比重は２．７ｇ／ｃｍ３、チタンの比重は、４．５１ｇ／ｃｍ３、プラスチックの比重は、軽い素材のポリエチレン系で、０．９ｇ／ｃｍ３、重いフッ素樹脂系で、２．２ｇ／ｃｍ３なので、これらの素材で本体部１０を形成してもよい。
【００３５】
ちなみに、炭素繊維強化プラスチックの比重は１．７ｇ／ｃｍ３である。
尚、鉄の比重は７．８ｇ／ｃｍ３、ステンレスの比重は８．０ｇ／ｃｍ３、真鍮の比重は８．７ｇ／ｃｍ３なので、これらは比重の点からは望ましくないと言えるが、その厚みを薄くするなどして用いてもよい。
【符号の説明】
【００３６】
１… 発熱体  ３… ヘアロッド  １０… 本体部  １２… 栓部  １４… 電気コード  
１６… ヒータ  １２０… 栓本体  １２２… 脚部
【図１】
0003194018.tif 000003
【図２】
0003194018.tif 000004
【図３】
0003194018.tif 000005